(57)【特許請求の範囲】
【請求項１】
電子ズーム機能として、
指定画像エリアを拡大して指定の画像サイズで撮影するデジタルズーム手段と、
指定画像エリアと等倍の画像サイズで撮影するロスレスズーム手段とを具備しており、
前記デジタルズーム手段と、前記ロスレスズーム手段のうちの、いずれかを有効とするかを決定する登録手段を有していることを特徴とする撮像装置。
【請求項２】
前記デジタルズーム手段により動作している場合は、前記指定画像エリアを拡大してスルー画表示する第一の表示手段と、
前記ロスレスズームで動作している場合は、等倍でスルー画表示中の画面に矩形のラインを描画して表示する第二の表示手段とを有しており、
動作ズームモードに応じて、第一あるいは第二の表示手段を自動的に切り換えるようになされていることを特徴とする請求項１に記載の撮像装置。
【請求項３】
前記第一あるいは第二の表示手段のいずれかを選択可能な、表示選択手段と、
選択した第一あるいは第二の表示手段を、予め登録する表示登録手段を有していることを特徴とする請求項２に記載の撮像装置。
【請求項４】
電子ズーム機能として、
指定画像エリアを拡大して指定の画像サイズで撮影するデジタルズーム手段と、
指定画像エリアと等倍の画像サイズで撮影するロスレスズーム手段とを具備している撮像装置の制御方法であって、
電子ズーム機能において、指定画像エリアを拡大して指定の画像サイズで撮影するデジタルズーム工程と、
指定画像エリアと等倍の画像サイズで撮影するロスレスズーム工程とを有し、
前記デジタルズーム手段と、前記ロスレスズーム手段のうちの、いずれかを有効とするかを決定する登録工程とを有していることを特徴とする撮像装置の制御方法。
【請求項５】
前記デジタルズーム手段により動作している場合は、前記指定画像エリアを拡大してスルー画表示する、第一の表示工程を行い、
前記ロスレスズームにより動作している場合は、等倍でスルー画表示中の画面に矩形のラインを描画して表示する、第二の表示工程を行うこととし、
動作ズームモードに応じて表示を自動的に切り換えることを特徴とする請求項４に記載の撮像装置の制御方法。
【請求項６】
前記第一あるいは第二の表示工程のいずれかを選択可能な、表示選択工程と、
選択した第一あるいは第二の表示工程を、予め登録する表示登録工程を有していることを特徴とする請求項５に記載の撮像装置の制御方法。
【発明の詳細な説明】
【技術分野】
【０００１】
本発明は、撮像装置及びこの制御方法に関するものであり、特に電子ズーム使用時に関するものである。
【背景技術】
【０００２】
近年、パーソナルコンピュータの発達に伴い、その画像入力装置としてのデジタルカメラが広く利用されるようになってきており、これに関する技術提案が多くなされている（例えば、特許文献１参照。）。
デジタルカメラは、特殊な撮影技術をもたない利用者が多く、撮影時の操作ミスを防止するためには、特に電子ズーム使用時における利便性を向上させることが今後の課題とされていた。
【０００３】
【特許文献１】特開２００４−６４６７６号公報
【発明の開示】
【発明が解決しようとする課題】
【０００４】
そこで本発明においては、デジタルカメラの電子ズーム使用時における利便性を高めるべく、２つの電子ズーム機能である、デジタルズームと、ロスレスズームの両方を登載した構成を有するデジタルカメラ（撮像装置）において、これらのズームモードの切り換え操作を容易化し、使用時にどちらのモードで動作しているのかの表示状態を切り換えるようにして簡単に判断できるようにして、操作ミスの発生を防止するようにした。
なお、デジタルズームとは、ズームエリアを拡大して所定の画像サイズで画像ファイルを作成する方法のことをいい、ロスレスズームとは、ズームエリアが所定の画像サイズの大きさと同じであり、元々の画像データを等倍で画像ファイルを作成する方法のことをいう。下記においては、上記二つの方法を総称して電子ズームとする。
【課題を解決するための手段】
【０００５】
上記課題解決のため、複数の画像サイズで撮影する撮影手段と、ズームイン／ズームアウトを行うデジタルズーム操作手段とを有する撮像装置であって、前記ズームイン／ズームアウトの操作に連動して前記画像サイズの自動的な切り換えがなされることとした撮像装置としても良い。
【０００６】
請求項１の発明においては、電子ズーム機能として、指定画像エリアを拡大して指定の画像サイズで撮影するデジタルズーム手段と、指定画像エリアと等倍の画像サイズで撮影するロスレスズーム手段とを具備しており、前記デジタルズーム手段と、前記ロスレスズーム手段のうちの、いずれかを有効とするかを決定する登録手段を有している撮像装置を提供する。
【０００７】
請求項２の発明においては、前記デジタルズーム手段により動作している場合は、前記指定画像エリアを拡大してスルー画表示する第一の表示手段と、前記ロスレスズームで動作している場合は、等倍でスルー画表示中の画面に矩形のラインを描画して表示する第二の表示手段とを、有しており、動作ズームモードに応じて、第一あるいは第二の表示手段を自動的に切り換えるようになされていることとした請求項１の撮像装置を提供する。
【０００８】
請求項３の発明においては、前記第一あるいは第二の表示手段のいずれかを選択可能な、表示選択手段と、選択した第一あるいは第二の表示手段を、予め登録する表示登録手段を有している請求項２の撮像装置を提供する。
【０００９】
上記課題解決のため、複数の画像サイズで撮影する撮影手段と、ズームイン／ズームアウトを行うデジタルズーム操作手段とを有する撮像装置の制御方法であって、複数の画像サイズで撮影する工程と、ズームイン／ズームアウトを行うデジタルズーム操作工程とを有し、ズームイン／ズームアウト操作に連動して、前記画像サイズを自動的に切り換えることとした撮像装置の制御方法としても良い。
【００１０】
請求項４の発明においては、電子ズーム機能として、指定画像エリアを拡大して指定の画像サイズで撮影するデジタルズーム手段と、指定画像エリアと等倍の画像サイズで撮影するロスレスズーム手段とを具備している撮像装置の制御方法であって、電子ズーム機能において、指定画像エリアを拡大して指定の画像サイズで撮影するデジタルズーム工程と、指定画像エリアと等倍の画像サイズで撮影するロスレスズーム工程とを有し、前記デジタルズーム手段と、前記ロスレスズーム手段のうちの、いずれかを有効とするかを決定する登録工程とを有している撮像装置の制御方法を提供する。
【００１１】
請求項５の発明においては、前記デジタルズーム手段により動作している場合は、前記指定画像エリアを拡大してスルー画表示する、第一の表示工程を行い、前記ロスレスズームにより動作している場合は、等倍でスルー画表示中の画面に矩形のラインを描画して表示する、第二の表示工程を行うこととし、動作ズームモードに応じて表示を自動的に切り換えることとした請求項４の撮像装置の制御方法を提供する。
【００１２】
請求項６の発明においては、前記第一あるいは第二の表示工程のいずれかを選択可能な、表示選択工程と、選択した第一あるいは第二の表示工程を、予め登録する表示登録工程を有していることとした請求項５の撮像装置の制御方法を提供する。
【発明の効果】
【００１３】
本発明によれば、電子ズーム使用時における撮影操作の利便性が向上した撮像装置が得られた。具体的には、ズーム機能である、デジタルズームと、ロスレスズームの両方を登載した構成を有するデジタルカメラ（撮像装置）において切り換え操作が容易化され、簡単な判断が可能となり、操作ミスの発生を効果的に防止できた。
【発明を実施するための最良の形態】
【００１４】
本発明について、図を参照して具体的に説明する。
以下、本発明の撮像装置として、デジタルスチルカメラシステムを例として挙げて説明するが、本発明は、下記の例に限定されるものではなく、広く電子ズーム処理方式を適用した各種撮像装置、及びこの制御方法に適用できる。
【００１５】
図１は、本発明の撮像装置（デジタルカメラ）の実施形態に関するブロック図である。
図２は、本発明のデジタルカメラの一例の外観図である。
なお図２（ａ）はデジタルカメラを上方から見た平面図を示し、図２（ｂ）が背面から見た平面図を示し、図２（ｃ）が正面から見た平面図を示す。
【００１６】
図１のブロック図から、デジタルカメラを構成する各部について説明する。
所定のレンズユニット内にあるレンズ１１（ズームレンズ及びフォーカスレンズ）は、モータドライバ１２によって駆動されるようになされている。
モータドライバ１２は、信号処理ＩＣの内部に含まれるマイクロコンピュータ１３（以下マイコン）によって、操作部１４を介して制御されるようになされている。
【００１７】
撮像部は、ＣＣＤ(Charge Coupled Device)１５、ＣＣＤに含まれる雑音を低減するＣＤＳ(Correlated Double Sampling)１９、ＣＣＤを駆動するタイミング信号発生器１６（以下ＴＧ）、アナログゲインコントローラ１７（以下ＡＧＣ）、ＣＣＤ出力電気信号（アナログ画像データ）をデジタル信号に変換するＡ／Ｄ変換器１８から構成されている。
【００１８】
撮像部から入力されたデジタルデータは、ＣＣＤ Ｉ／Ｆブロックを介して、画像蓄積部であるフレームメモリであるＳＤＲＡＭ２１にＲＧＢデータとして一時保管される。
【００１９】
信号処理ＩＣ２２は、ＣＣＤＩ／Ｆ部２０、画像処理部２３、表示Ｉ／Ｆ部２４、ＪＰＥＧコーデック部２５、リサイズ部２６、カードコントローラ部２７、音声コーデック部２８、システム制御を行うマイコン１３から構成されている。
【００２０】
ＣＣＤＩ／Ｆ部２０は、画面水平同期信号（ＨＤ）と画面垂直同期信号（ＶＤ）の出力を行い、その同期信号に合わせてＡ／Ｄ変換器１８から入力されるデジタルＲＧＢ信号を取り込んで、メモリコントローラ２９経由でＳＤＲＡＭ２１に、ＲＧＢデータの書き込みを行う。
【００２１】
画像処理部２３においては、制御部から設定された所定の画像処理パラメータに基づき、ＳＤＲＡＭ２１に一時保管されたＲＧＢデータをＹＵＶデータに変換処理して、ＳＤＲＡＭ２１に出力する。
【００２２】
リサイズ部２６においては、ＹＵＶデータを読み出して、記録するために必要なサイズへのサイズ変換、サムネイル画像へのサイズ変換、表示に適したサイズへのサイズ変換などを行う。
【００２３】
表示Ｉ／Ｆ部２４においては、ＳＤＲＡＭ２１に書き込まれた表示用データを表示装置３０に送り、撮影画像の表示を行う。
この表示装置３０は、カメラが内蔵しているＬＣＤ（液晶表示部）に表示することも、ＴＶビデオ信号として出力してテレビに表示することも可能である。
【００２４】
ＪＰＥＧコーデック部２５においては、記録時は、ＳＤＲＡＭ２１に書き込まれたＹＵＶデータを圧縮してＪＰＥＧ符号化されたデータを出力し、再生時は、カードより読み出したＪＰＥＧ符号化データをＹＵＶデータに伸張して出力する。
【００２５】
カードコントローラ部２７においては、マイコン１３からの指示により、メモリカード３１内のデータをＳＤＲＡＭ２１に読み出したり、ＳＤＲＡＭ２１上のデータをメモリカード３１に書き込みを行ったりする。
【００２６】
全体制御部であるマイコン１３は、起動時にＲＯＭに格納されたプログラムおよび制御データをＳＤＲＡＭ２１にロードし、そのプログラムコードに基づいて全体を制御するようになされている。
マイコン１３は、操作部のボタン等による指示、あるいは所定のリモコン（図示せず）等の外部動作指示、あるいはパーソナルコンピュータ等の外部端末からの通信による通信動作指示に従い、撮像動作制御、画像処理装置における画像処理パラメータの設定、メモリコントロール、表示制御を行うようになされている。
【００２７】
操作部１４は、撮影者が撮像装置の動作指示を行うためのものであり、撮影を指示するレリーズキー、光学ズーム及び電子ズーム倍率を設定するズームボタン、その他の各種設定を外部から行うためのボタンを備えている。
【００２８】
次に、デジタルズーム時の撮影動作について、図２を参照して説明する。
本発明のデジタルカメラは、複数の画像サイズで撮影することのできる機能を有しており、ズームイン／ズームアウトを行うデジタルズーム操作手段を有し、このズームイン／ズームアウトの操作に連動して画像サイズの自動的な切り換えがなされるようになっている。
【００２９】
また、電子ズーム機能として、指定画像エリアを拡大して指定の画像サイズで撮影するデジタルズーム手段と、指定画像エリアと等倍の画像サイズで撮影するロスレスズーム手段の双方を具備しており、デジタルズーム手段と、ロスレスズーム手段のうちの、いずれかを有効とするかを決定する所定の登録手段を有しているものとする。
【００３０】
本発明の撮像装置の制御にあたっては、複数の画像サイズで撮影する工程と、ズームイン／ズームアウトを行うデジタルズーム操作工程とを有するものとし、ズームイン／ズームアウト操作に連動して画像サイズを自動的な切り換えが行われるものとする。
【００３１】
また、前記電子ズーム機能において、指定画像エリアを拡大して指定の画像サイズで撮影する工程（デジタルズーム工程）と、指定画像エリアと等倍の画像サイズで撮影する工程（ロスレスズーム工程）とを有するものとし、前記デジタルズーム手段と、前記ロスレスズーム手段のうちの、いずれかを有効とするかを決定する工程（登録工程）を行うものとする。
【００３２】
操作においては、先ず、撮影／再生切り換えダイアル４０を撮影モードに設定する。
次に、電源釦４１によってカメラを起動すると、撮影レンズ４２がズームワイド位置に設定されて、ＬＣＤ（液晶画面）４３には、電子ファインダ機能であるライブビュー映像が表示される。
起動状態から、ズーム望遠釦４５を構成するズームＴ釦を押すことで、ズームレンズは望遠側（以下テレ側）へ移動する。
一方、ズーム望遠釦４５を構成するズーム広角釦、すなわちズームＷ釦を押すと、ズームレンズが広角側（以下ワイド側）に移動する。
【００３３】
図３は、本発明の撮像装置を用いたズーム位置表示状態を示す。
なお、図３（ａ）は光学ズーム最大倍率（テレ端）となったときの表示状態を示し、図３（ｂ）は電子ズームとなっているときの表示状態を示す。
図３（ａ）、（ｂ）の画面の左下には、ズーム位置表示バー５０を示し、黒点５１が現在のテレ端位置を示しており、図３（ａ）においては、斜線部のデジタルズーム範囲に入っていないことが解る。ここで再度ズームＴ釦（ズーム望遠釦）を押すと、図３（ｂ）のデジタルズームの状態となる。
ここで、図２のレリーズ釦４４を押すと、合焦動作及び露光時間設定等の撮影準備処理が行われ、続いて記録露光処理が行われる。そしてメカシャッタが閉じた後に、ＣＣＤ全画素分のＲＧＢデータを一度ＳＤＲＡＭに取り込まれるようになされる。
【００３４】
次に、図４（ａ）に示す現在表示されている対象の所定の範囲に相当する部分のみが画像処理部に送られ、ＹＵＶデータに変換され、図４（ｂ）のような所望部分に相当する画像データが得られるようになる。この図４（ｂ）のＹＵＶデータは、図１のリサイズ部２６で記録画素数に合わせたサイズに変換された後に、ＪＰＥＧ圧縮処理が行われ、ヘッダ情報を付加してＪＰＥＧファイルとしてメモリカードに保存されるようになされている。
【００３５】
具体的に１２０万画素のＣＣＤを例として挙げて説明する。
この場合、ＣＣＤの記録画素数は水平１２６０画素、垂直９６０画素である。
カメラは記録画素数を１２０万画素（1280×960）と３０万画素（640×480）との２つから選択が可能とする。デジタルズーム倍率は０．２倍きざみで設定が可能とする。
【００３６】
記録画素数を１２０万画素、デジタルズームが１．２倍とした場合、ＹＵＶ変換後の画素数は1068×800程度となる。このデータを図１のリサイズ部２６に入力し、１．２倍にすることで1280×960画素とし、ＪＰＥＧ圧縮を行う。リサイズモジュールでは、例えばバイリニアやバイキュービック補間とリサンプリングにより、拡大処理が行われる。１２０万画素よりも少ない画素をもとに１２０万画素を作ってしまうため、本来のＣＣＤにおける解像度よりも低い解像度で記録されることとなり、画質が劣化してしまう。この劣化度合いは、デジタルズーム倍率が高くなるほど強くなる。
【００３７】
記録画素数を３０万画素、デジタルズームが１．２倍とした場合、ＹＵＶ変換後の画素数は1068×800程度となる。このデータを図１のリサイズ部２６に入力し、縮小処理によって640×480画素として、ＪＰＥＧ圧縮を行う。この場合記録画素数よりもＹＵＶデータが多いために、デジタルズームがオフの時と同等の画像品質が得られる。
【００３８】
３０万画素のモードでは、デジタルズーム１．８倍までは記録画素数よりもＹＵＶデータが多くなっている。２．０倍で記録画素数とＹＵＶ変換画素数が一致する。ここまでは画質劣化が略生じない。しかし２．２倍になった時点で記録画素数よりもＹＵＶ変換画素数が少なくなり、リサイズ部２６で拡大処理が行われ、解像度にかかわる画質の劣化が始まる。
図５（ａ）〜（ｃ）に、デジタルズーム表示状態の概略図を示す。
図５（ａ）はデジタルズームオフ状態を示し、図５（ｂ）は、ズームＴ釦を押して２．０倍の表示状態を示し、図５（ｃ）は２．０倍の状態からズームＴ釦をもう一度押した結果、３０万画素のデジタルズーム２．２倍になったときの表示状態を示す。
【００３９】
次に、ロスレスズーム時の撮影動作について説明する。
先ず、図２に示した撮影／再生切り換えダイアル４０を撮影モードに設定する。
電源釦４１によってカメラを起動すると、撮影レンズ４２がズームワイド位置に設定されて、ＬＣＤ４３には、電子ファインダ機能であるライブビュー映像が表示される。
このような起動状態から、図２中のズーム望遠釦４５（以下ズームＴ釦）を押すことで、ズームレンズが望遠側（以下テレ側）へと移動する。ズーム望遠釦のうちの広角釦（以下ズームＷ釦）を押すと、ズームレンズが広角側（以下ワイド側）に移動する。
【００４０】
図６（ａ）、（ｂ）に、ズーム位置表示と画像表示状態を示す。
図６（ａ）は、光学ズームが最大倍率（テレ端）になったときの表示状態である。
それぞれの画面の左下にズーム位置表示バー５０を示し、黒点５２が現在のテレ端位置を示している。図６（ａ）の光学ズーム最大倍率時には斜線部のデジタルズーム範囲に入っていないことが判る。
ここで、図２中に示したズームズーム望遠釦４５のＴ釦を押すと、デジタルズームの状態となる。図６（ｂ）はロスレスズームになっているときの状態を示す。ここで図２のレリーズ釦４４を押すと、合焦動作及び露光時間設定等の撮影準備処理が行われ、続いて記録露光処理が行われるようになされる。そしてメカシャッタを閉じた後に、ＣＣＤ全画素分のＲＧＢデータを一度ＳＤＲＡＭに取り込まれるようになされる。
【００４１】
次に、図７（ａ）、（ｂ）に示すように、３０万画素（640×480）に相当する部分のみが画像処理部に送られＹＵＶデータに変換されるようになされる。
このＹＵＶデータは、３０万画素（640×480）サイズの等倍のまま、ＪＰＥＧ圧縮処理が行われ、ヘッダ情報を付加してＪＰＥＧファイルとしてメモリカードに保存されるようになされる。
【００４２】
デジタルズームモードと、ロスレスズームモードとは、所定の登録手段により、操作者の任意において登録しておくことが可能となされており、これにより操作開始時に、いちいち最初から設定し直す煩雑さが回避され、操作ミスが防止できる。
【００４３】
上述した例においては、デジタルズーム時の表示と、ロスレスズーム時の表示を説明したが、上記例は本発明の撮像装置の一実施形態に過ぎず、デジタルズーム時とロスレスズーム時の表示方法を交換しても表示可能である。また、両方のズーム時とも、デジタルズーム実施例の表示方法としても良いし、両方ともロスレスズーム実施例の表示方法としても良い。
【００４４】
また、本発明のデジタルカメラは、上述したデジタルズーム手段により動作している場合は、指定画像エリアを拡大してスルー画表示する第一の表示手段と、ロスレスズームで動作している場合には、等倍でスルー画表示中の画面に矩形のラインを描画して表示する第二の表示手段とを有している構成とすることもできる。
この場合、これらの表示手段は、動作ズームモードに応じて自動的に切り換えるようになされているものとする。
【００４５】
前記第一の表示手段と第二の表示手段は、所定の表示選択手段によって、任意に選択し、設定することが可能になされており、さらには操作者によって選択された第一あるいは第二の表示手段を、予め登録することのできる表示登録手段を有しているものとする。これにより、操作者がデジタルカメラ使用の都度、設定し直す煩雑さを回避でき、操作ミスが防止できる。
【００４６】
上記構成による場合、デジタルズーム手段により動作している場合は、指定画像エリアを拡大してスルー画表示する第一の表示工程を行い、ロスレスズームにより動作している場合、等倍でスルー画表示中の画面に矩形のラインを描画して表示する、第二の表示工程が行われるものとする。これらは、動作ズームモードに応じて表示の自動的に切り換えが行われる。
【００４７】
前記第一あるいは第二の表示工程は、任意に選択可能であり、撮影においては、これらの表示選択工程と、選択した第一あるいは第二の表示工程を、予め登録する表示登録工程とを経て、画像形成が行われる。
【００４８】
図８（ａ）〜（ｄ）を参照して、ロスレスズームの実施例を記述する。
この例においては、３００万画素、１２０万画素、３０万画素の３種類の表示の例を示す。
図８（ａ）は、ロスレスズームＯＦＦ時の表示例であり、この状態からズームイン操作を行うことにより、図８（ｂ）に示すように１２０万画素で撮影されることを示したロスレスズーム表示となる。次に、ズームイン操作を行うことで、図８（ｃ）に示すように３０万画素で撮影されることを示したロスレスズーム表示となる。これらにおいては、等倍でスルー画表示中の画面に矩形のラインが描画表示されている。
但し図８（ｃ）に示す場合、撮影される画像エリアを示した図中の破線のラインに囲まれた矩形表示が小さくなりすぎて操作性が悪くなると判断した場合は、図８（ｄ）で示すような表示状態にすることにより、視認性、操作性の向上が図られる。
図８（ｄ）に示す画像全体は、１段階ロスレスズームした１２０万画素のズーム表示を行っている。これは、母体が１２０万画素でズーム表示された状態なので、３０万画素を示す矩形の範囲は相対的に大きく表示することが可能となり、図８（ｃ）の場合に比較すると見易くすることが可能なのである。
【００４９】
ロスレスズームで使用する画像サイズが増えた場合（例えば、７００万画素、５００万画素、３００万画素、１２０万画素、３０万画素）、図８（ｃ）のように表示すると、極端に見づらくなってしまうため、図８（ｄ）に示すように、直前の画像サイズで全体をズーム表示して、当該の画像サイズを破線で表示することにより撮影画像のイメージが行いやすくなる。更に、破線の矩形表示があることから、デジタルズームではなく、ロスレスズームであることが簡単に操作者に判断できる。
【００５０】
図９に電子ズームに関する登録手段、及び登録工程を行う例を図示する。
本発明の撮像装置は、セットアップ画面（メニュー画面）で電子ズームで使用するズーム方式を、デジタルズームで行うのか、ロスレスズームで行うのか、選択できるようになっている。
図９（ａ）、（ｂ）に示す例では、ロスレスズームが選択されていることを示している。
この選択操作により、図２に示すズーム望遠釦４５のズームＴ釦で、ロスレスズーム機能が動作するようになる。
また、ロスレスズームの表示方法についても選択できる。図９（ａ）、（ｂ）も示すロスレスズーム選択においては、破線の矩形ラインで表示を行うステップ表示が選択されており、デジタルズームでは拡大表示が選択されている。この表示方法については、任意に切り換えることができるようになっている。
【図面の簡単な説明】
【００５１】
【図１】デジタルカメラのブロック図を示す。
【図２】（ａ）デジタルカメラの上面から見た平面図を示す。（ｂ）デジタルカメラの背面から見た平面図を示す。（ｃ）デジタルカメラの正面から見た平面図を示す。
【図３】（ａ）は光学ズーム最大倍率（テレ端）となったときの表示状態を示す。（ｂ）は電子ズーム状態となったときの表示状態を示す。
【図４】（ａ）撮像素子全範囲とデジタルズーム範囲を示す。（ｂ）画像処理後のＹＵＶデータによる表示状態を示す。
【図５】（ａ）〜（ｃ）デジタルズーム表示状態の概略図を示す。
【図６】（ａ）最高倍率時のズーム位置表示と画像表示状態を示す。（ｂ）ズーム動作時のズーム位置表示と画像表示状態を示す。
【図７】（ａ）撮像素子全範囲とロスレスズーム範囲を示す。（ｂ）画像処理後のＹＵＶデータを示す。
【図８】（ａ）〜（ｄ）ロスレスズーム表示状態を示す。
【図９】（ａ）、（ｂ）電子ズームに関する登録の例の表示状態を示す。
【符号の説明】
【００５２】
１０  デジタルカメラ
１１  レンズ
１２  モータドライバ
１３  マイコン
１４  操作部
１５  ＣＣＤ
１６  ＴＧ
１７  ＡＧＣ
１８  Ａ／Ｄ
１９  ＣＤＳ
２０  ＣＣＤ  Ｉ／Ｆ
２１  ＳＤＲＡＭ
２２  信号処理ＩＣ
２３  画像処理
２４  表示Ｉ／Ｆ
２５  ＪＰＥＧ  コーデック
２６  リサイズ
２７  カードコントローラ
２８  音声コーデック
２９  メモリコントローラ
３０  表示装置
３１  メモリカード
３２  ＲＯＭ
３３  音声出力装置
４０  撮影／再生切り換えダイアル
４１  電源釦
４２  撮影レンズ
４３  ＬＣＤ
４４  レリーズ釦
４５  ズーム望遠釦
５０  ズーム位置表示バー
【図１】
0004742368.tif 000002
【図２】
0004742368.tif 000003
【図３】
0004742368.tif 000004
【図４】
0004742368.tif 000005
【図５】
0004742368.tif 000006
【図６】
0004742368.tif 000007
【図７】
0004742368.tif 000008
【図８】
0004742368.tif 000009
【図９】
0004742368.tif 000010